(57)【要約】【課題】長さ方向に沿う長尺な平面同士が対向するように金属線材を複数本配置し、各金属線材間に直交するようにブラシ毛を並べて配列して金属線材を捻ると、金属線材にブラシ毛が安定して挟持され、ブラシ毛の配列にズレが殆ど生じないで作製できる捻りブラシを提供する。【解決手段】長さ方向に沿う長尺な平面２ａ同士が対向するように金属線材２を複数本配置し、前記長尺な平面２ａ間にブラシ毛３を前記金属線材２の長さ方向に直交するように並べて、前記金属線材２を捻り込むことにより、前記金属線材２間にブラシ毛３を螺旋状に配列させるようにした。【選択図】図１
2008012124.tif 000002
【特許請求の範囲】
【請求項１】
長さ方向に沿う長尺な平面同士が対向するように金属線材を複数本配置し、前記長尺な平面間にブラシ毛を前記金属線材の長さ方向に直交するように並べて、前記金属線材を捻り込むことにより、前記金属線材間にブラシ毛を螺旋状に配列させるようにした捻りブラシ。
【請求項２】
前記金属線材において、長さ方向に直交する断面が半円形状、三角形状又は四角形状のいずれかである請求項１に記載の捻りブラシ。
【発明の詳細な説明】
【技術分野】
【０００１】
本発明は、複数本の金属線材間にブラシ毛を配置して金属線材を捻ることによりブラシ毛を金属線材に挟着固定してなる捻りブラシに関するものである。
【背景技術】
【０００２】
一般に捻りブラシは、複数本の金属線材の両端を、それぞれ固定挟持機構と回転挟持機構に取り付け、金属線材間にブラシ毛を配置して、回転挟持機構を駆動して金属線材を捻ることによりブラシ毛を金属線材に挟着固定して作製されている。
【０００３】
例えば、特開平７−２４６１１４号公報に記載の捻りブラシは、複数本の金属線材の間にブラシ毛が井桁状に配列されて設けられ、金属線材に捻りを加えて成形されている。
【特許文献１】特開平７−２４６１１４号公報
【発明の開示】
【発明が解決しようとする課題】
【０００４】
捻りブラシに使用される金属線材は、長さ方向に直交する断面が円形状であり、複数本の金属線材の両端をそれぞれ固定挟持機構と回転挟持機構に取り付けると、互いに線接触状態となる。挟持機構に取り付けられた複数本の金属線材は、長さ方向に直交するようにブラシ毛を間に挟んで並べると、安定して挟持出来ない。そのため、金属線材に挟んだブラシ毛は、配列にズレが生じて不揃いになることがある。そのため、作業者は、各金属線材間にブラシ毛を挟む際、ペンチやプライヤ等の工具を使用して、各金属線材を圧接し、金属線材とともにブラシ毛を挟持して、ブラシ毛がズレないようにしたり、或いは、ブラシ毛のズレを修正しながら、金属線材を捻ることにより捻りブラシを作製している。このように、捻りブラシを作製する作業は、煩雑であり、熟練を要するという問題がある。
【０００５】
本発明は、上記した不都合を解決するために提案されたもので、長さ方向に沿う長尺な平面同士が対向するように金属線材を複数本配置し、各金属線材間に直交するようにブラシ毛を並べて配列して金属線材を捻ると、金属線材にブラシ毛が安定して挟持され、ブラシ毛の配列にズレが殆ど生じないで作製できる捻りブラシを提供することを目的とする。
【課題を解決するための手段】
【０００６】
前記目的を達成させるため請求項１記載の発明は、長さ方向に沿う長尺な平面同士が対向するように金属線材を複数本配置し、前記長尺な平面間にブラシ毛を前記金属線材の長さ方向に直交するように並べて、前記金属線材を捻り込むことにより、前記金属線材間にブラシ毛を螺旋状に配列させるようにした捻りブラシである。
【０００７】
また、請求項２記載の発明は、前記金属線材において、長さ方向に直交する断面が半円形状、三角形状又は四角形状のいずれかである請求項１に記載の捻りブラシである。
【発明の効果】
【０００８】
本発明の捻りブラシは、各金属線材間に直交するようにブラシ毛を並べて配列させた状態において、金属線材のブラシ毛を挟持している面が長尺な平面であり、ブラシ毛を安定して挟持できるので、ブラシ毛にズレが生じないで作製できる。また、前記金属線材は、ブラシ毛を挟持する長尺な平面の径方向の幅が大きく面積が広いものであれば、よりブラシ毛を安定して挟持できるので、長さ方向に直交する断面が半円形状、三角形状又は四角形状のいずれかが望ましい。
【発明を実施するための最良の形態】
【０００９】
以下に本発明の実施の形態を図面に基いて説明する。
【実施例１】
【００１０】
図１（ａ）は、本発明の実施例１に係る捻りブラシの斜視図、図１（ｂ）は、（ａ）の捻り加工する前の金属線材とブラシ毛の斜視図である。実施例１における金属線材２は、長さ方向に直交する断面が半円形状である。
【００１１】
図１（ａ）、（ｂ）において、捻りブラシ１は、２本の金属線材２を、長さ方向に沿う長尺な平面２ａ同士を対向配置して、両金属線材２の両端をそれぞれ図示しない固定挟持機構と回転挟持機構に取り付け、各金属線材２の長尺な平面２ａ間にブラシ毛３を長さ方向に直交するように並べて、回転挟持機構を駆動して金属線材２を捻り込むことにより、両金属線材２間にブラシ毛３を螺旋状に配列させるようにして作製されたものである。
【実施例２】
【００１２】
図２は、本発明の実施例２に係る捻りブラシを捻り加工する前の金属線材とブラシ毛の斜視図である。実施例２における金属線材１２は、長さ方向に直交する断面が三角形状であり、各側面が長尺な平面１２ａである。実施例２は、金属線材１２の形状が実施例１と異なるが、２本の金属線材１２を、長さ方向に沿う長尺な平面１２ａ同士を対向配置して、各平面１２ａ間にブラシ毛３を長さ方向に直交するように並べて、捻り込むことにより、捻りブラシ（図示省略）が作製される点で、同様である。
【実施例３】
【００１３】
図３は、本発明の実施例３に係る捻りブラシを捻り加工する前の金属線材とブラシ毛の斜視図である。実施例３における金属線材２２は、長さ方向に直交する断面が四角形状であり、各側面が長尺な平面２２ａである。実施例３は、金属線材２２の形状が実施例１と異なるが、２本の金属線材２２を、長さ方向に沿う長尺な平面２２ａ同士を対向配置して、各平面２２ａ間にブラシ毛３を長さ方向に直交するように並べて、捻り込むことにより、捻りブラシ（図示省略）が作製される点で、同様である。断面が四角形状の金属線材は、断面が長方形が望ましい。
【実施例４】
【００１４】
図４（ａ）は、本発明の実施例４に係る捻りブラシを捻り加工する前の金属線材とブラシ毛の斜視図、図４（ｂ）は、捻り加工時における金属線材とブラシ毛の概略説明図である。
【００１５】
図４（ａ），（ｂ）において、実施例４の捻りブラシは、長さ方向に沿って長尺な平面３２ａを有する２本の金属線材３２を長尺な平面３２ａ同士が対向するように配置してなる金属線材対が２組３３ａ，３３ｂ使用されている。これら２組の金属線材対３３ａ，３３ｂは、それぞれの金属線材３２の両端を図示しない挟持機構に取り付けられる。
【００１６】
先ず、一方の金属線材対３３ａは、２本の金属線材３２の長さ方向に直交し、且つ２本の金属線材３２間にブラシ毛３が２層に並べられる。この状態において、他方の金属線材対３３ｂは、前記２層に並べられているブラシ毛３の間に２本の金属線材３２が配置されるとともに、２本の金属線材３２の間に前記一方の金属線材対３３ａを挟んで配置されている。この状態では、各金属線材３２の長尺な平面３２ａ同士が、互いに平行且つ直角な配置である。
【００１７】
そして、図４（ｂ）に示すように、一方の金属線材対３３ａは、２層に並べられているブラシ毛３を挟んで各金属線材３２が圧接されて長尺な平面３２ａ同士が接触状態にされる。その後、他方の金属線材対３３ｂは、金属線材対３３ａの両側に突出している２層に並べられたブラシ毛３を互いに逆方向に直角に折り曲げて、これらの折り曲げられたブラシ毛３を介して金属線材対３３ａを挟んだ状態で各挟持機構に固定される。
【００１８】
こうして、ブラシ毛３を折り曲げた状態で、一方の挟持機構を回転駆動して金属線材２を捻り込むことにより、実施例４の捻りブラシは、各金属線材３２間に２層に並べられているブラシ毛３を螺旋状に挟着固定して作製される。
【００１９】
前記実施例１〜３に記載の各金属線材は、長さ方向に直交する断面が半円形状、三角形状又は四角形状のいずれかであるので、ブラシ毛を挟持する長尺な平面の径方向の幅が大きく面積が広いものであり、ブラシ毛を安定して挟持できるものである。
【００２０】
以上、本発明を図面の実施例に基づいて説明したが、本発明は、上記した実施例に限定されるものではなく、特許請求の範囲に記載の構成を変更しない限りどのようにでも実施することができる。
【図面の簡単な説明】
【００２１】
【図１】（ａ）は、本発明の実施例１に係る捻りブラシの斜視図、（ｂ）は、（ａ）の捻り加工する前の金属線材とブラシ毛の斜視図である。
【図２】本発明の実施例２に係る捻りブラシを捻り加工する前の金属線材とブラシ毛の斜視図である。
【図３】本発明の実施例３に係る捻りブラシを捻り加工する前の金属線材とブラシ毛の斜視図である。
【図４】（ａ）は、本発明の実施例４に係る捻りブラシを捻り加工する前の金属線材とブラシ毛の斜視図、（ｂ）は、捻り加工時における金属線材とブラシ毛の概略説明図である。
【符号の説明】
【００２２】
１  捻りブラシ
２，１２，２２，３２  金属線材
２ａ，１２ａ，２２ａ，３２ａ  長尺な平面
３ａ，３ｂ，３ｃ，３ｄ，３ｅ  ブラシ毛
３３ａ，３３ｂ  金属線材対
【図１】
2008012124.tif 000003
【図２】
2008012124.tif 000004
【図３】
2008012124.tif 000005
【図４】
2008012124.tif 000006